(57)【要約】【課題】キャップ本体を支持するバンドがキャップの側面方向に突出して携帯時や使用時等の邪魔になることのない、使用性に勝れた安全キャップ付き容器を得る。【解決手段】安全キャップ付き容器が、外周に雄ねじ１２が設けられた円筒形の抽出口１１を有する容器本体１と、上記抽出口１１に被着されたキャップ２とからなっていて、該キャップ２が、内周に雌ねじを有する着脱自在のキャップ本体２１と、上記抽出口１１の外周に回転自在かつ抜止状態に嵌合するリング状の支持部２３と、上記抽出部１１の回りを螺旋状に取り巻いてこれらのキャップ本体２１と支持部２３とを連結する可撓性の螺旋バンド部２２とを有する。【選択図】　　図２
2004051218.tif 000002
【特許請求の範囲】
【請求項１】
外周に雄ねじが設けられた円筒形の抽出口を有する容器本体と、上記抽出口に被着されたキャップとを含み、該キャップが、上記抽出口外周の雄ねじに螺合する雌ねじを内周に備えた着脱自在のキャップ本体と、上記抽出口の基端部外周に回転自在かつ抜止状態に嵌合するリング状の支持部と、上記抽出部の回りを螺旋状に取り巻いてこれらのキャップ本体と支持部とを連結する可撓性の螺旋バンド部とを有することを特徴とする安全キャップ付き容器。
【請求項２】
上記キャップにおけるキャップ本体と螺旋バンド部と支持部とが一つの円筒をなすように連設されていて、上記バンド部が、上記キャップ本体と支持部との間の位置に螺旋状のスリットを設けることにより形成されると共に、キャップ本体の回転により切断可能な複数の結合部で部分的に結合されていることを特徴とする請求項１に記載の安全キャップ付き容器。
【請求項３】
上記結合部が、スリットの一部を塞ぐように形成されていることを特徴とする請求項２に記載の安全キャップ付き容器。
【請求項４】
上記結合部が、バンド部の内面に沿って上記スリットを横断するように形成されていることを特徴とする請求項２に記載の安全キャップ付き容器。
【発明の詳細な説明】
【０００１】
【発明の属する技術分野】
本発明は、開栓後にキャップが不意に落下して汚れたり紛失したりするのを防止する機能を備えた、安全キャップ付き容器に関するものである。
【０００２】
【従来の技術】
近年、清涼飲料水などの容器として、ペットボトルと称されるキャップ付きの容器が普及している。このようなキャップ付きの容器は、ねじ式に開閉するキャップを有していて、内容物を複数回に分けて取り出すのが一般的であり、内容物を取り出したあとは、再びキャップを閉じておく必要がある。ところが、このようなキャップ付き容器においては、キャップを開放して内容物を取り出す場合、開放したキャップを片手に持った状態で内容物の抽出作業を行わなければならないため、該キャップが作業の邪魔になったり抽出作業に気をとられたりして取り落とすことが多く、汚れたり紛失したりし易いなどの問題があった。
【０００３】
そこで従来では、例えば特開２００１−７２１２０号公報や特開２０００−２３８８３１号公報等に開示されているように、キャップにバンドを連設し、このバンドの基端部を容器に連結することにより、開栓後のキャップの落下を防止するようにしたものが提案されている。
【０００４】
ところが、このようなバンド付きのキャップを備えた従来の容器においては、上記バンドがキャップの側面方向に突出しているため、携帯時や使用時等にこのバンドが邪魔になり、バッグに収容した際に他のものに引っ掛かり易いという欠点があった。また、キャップとバンドとの連結形状が複雑であるため、その製造にコストがかかるという欠点もあった。
【０００５】
【発明が解決しようとする課題】
本発明の主要な技術的課題は、キャップに連なるバンドが該キャップの側面方向に突出して携帯時や使用時等の邪魔になることのない、使用性に勝れた安全キャップ付き容器を提供することにある。
本発明の他の技術的課題は、キャップとバンドとの連結形状が簡単で安価に形成することができる安全キャップ付き容器を提供することにある。
【０００６】
【課題を解決するための手段】
前記課題を解決するため、本発明によれば、外周に雄ねじが設けられた円筒形の抽出口を有する容器本体と、上記抽出口に被着されたキャップとを含み、該キャップが、上記抽出口外周の雄ねじに螺合する雌ねじを内周に備えた着脱自在のキャップ本体と、上記抽出口の基端部外周に回転自在かつ抜止状態に嵌合するリング状の支持部と、上記抽出部の回りを螺旋状に取り巻いてこれらのキャップ本体と支持部とを連結する可撓性の螺旋バンド部とを有することを特徴とする安全キャップ付き容器が提供される。
【０００７】
本発明は上記構成を有するもので、キャップにおけるキャップ本体と支持部とが螺旋状のバンド部によって連結されていて、該キャップ本体を抽出口に被着したとき、上記バンド部が抽出口の回りを取り巻くように位置し、側方に突出しないため、該バンドが携帯時や使用時の邪魔になるようなことがなく、使用性に勝れる。
【０００８】
本発明においては、上記キャップにおけるキャップ本体と螺旋バンド部と支持部とが、一つの円筒をなすように連設されていて、上記バンド部が、上記キャップ本体と支持部との間の位置に螺旋状のスリットを設けることにより形成されると共に、キャップ本体の回転により切断可能な複数の結合部で部分的に結合されていることが望ましい。
この構成により、キャップ本体とバンドと支持部との連結構造が簡単になり、キャップを安価に形成することができる。
【０００９】
上記結合部は、スリットの一部を塞ぐように形成するか、又は、上記バンド部の内面に沿ってスリットを横断するように形成することができる。
【００１０】
【発明の実施の形態】
図１及び図２は本発明に係る安全キャップ付き容器の一実施例を示すもので、この容器は、外周に雄ねじ１２が形成された円筒形の抽出口１１を有する容器本体１と、上記抽出口１１に着脱自在に被着されたキャップ２とを含んでいる。
【００１１】
上記容器本体１は、合成樹脂やガラスあるいは金属等の硬質又は半硬質あるいは軟質の素材によって全体として一定の形を保ち得るように形成されているが、上記抽出口１１だけを硬質素材で保形性を有するように形成し、それ以外の部分は、合成樹脂フィルムや金属フィルム、あるいは合成樹脂フィルムの表面に金属フィルムをラミネートしたものなどの柔軟性素材によって、変形自在なるように形成しても良い。
【００１２】
また、上記キャップ２は、上記抽出口１１の外周の雄ねじ１２に螺合する雌ねじを内周に備えたキャップ本体２１と、上記抽出口１１の基端部外周に回転自在かつ抜止状態に嵌合するリング状の支持部２３と、上記抽出口１１の回りを螺旋状に取り巻いてこれらのキャップ本体２１と支持部２３とを連結する可撓性の螺旋バンド部２２とからなっていて、それらが合成樹脂によって一体に形成されている。即ち、図１に示すように、これらのキャップ本体２１とバンド部２２と支持部２３とが、一つの円筒を形成するように一体に連設されていて、このうちバンド部２２は、上記キャップ本体２１と支持部２３との間の位置に螺旋状のスリット２４を設けることにより形成されている。そして、上記キャップ本体２１を回転させて抽出口１１から取り外すと、上記スリット２４の間隔が開いてバンド部２２が弾性的に伸長するように構成されている。このように、キャップ本体２１とバンド部２２と支持部２３とを筒状に一体形成することにより、それらの連結構造が簡単になってキャップ２を簡単かつ安価に形成することができる。
【００１３】
ここで、いたずら防止性を持たせるため、上記螺旋バンド部２２は、上記スリット２４の複数個所において、開栓時のキャップ本体２１の回転によって切断可能な複数の結合部２５で部分的に結合しておくことが望ましい。この結合部２５は、スリット２４の一部を完全に塞ぐように形成されており、従って、この結合部２５の位置では、スリット２４が部分的に途切れている。これにより、上記キャップ本体２１が、適正な使用者によって最初に開放されるまでの間に不正に開放されたときは、それを直ちに発見することができる。
【００１４】
上記キャップ本体２１の外周には、滑りを防止してその開閉操作を容易にするため、複数の溝２６が縦向きに形成されている。また、上記支持部２３は、切れめのない完全なリングであっても、一部に切欠きを有する不完全なリングであっても良く、この支持部２３が、上記抽出口１１の基端部に嵌合され、該抽出口１１の外面に形成された点状あるいは環状の突起に抜止状態に係止している。
【００１５】
上記構成を有する容器は、図１に示すように、その抽出口１１にキャップ２が被着されていて、キャップ本体２１が適正な使用者によって最初に開放されるまでは、上記螺旋バンド部２２が複数の結合部２５で結合された状態にある。このとき上記螺旋バンド部２２は、上記抽出口１１の回りを取り巻くように位置していて、側方に突出しないため、該バンド部２２が携帯時や使用時の邪魔になるようなことがなく、使用性に勝れる。
【００１６】
この状態から、上記キャップ本体２１を開放するために回転させると、該キャップ本体２１は抽出口１１の先端方向に移動するが、支持部２３はその位置で回転するだけで移動しないため、上記螺旋バンド部２２がキャップ本体２１に引っ張られてスリット２４が拡開し、上記結合部２５が切断される。そして更にキャップ本体２１を回転させると、図２に示すように、該キャップ本体２１が抽出口１１から外れるため、該抽出口１１から内容物を取り出すことができる。このとき上記螺旋バンド部２２は、弾性的に伸長してキャップ本体２１を支持し、それが不意に落下するのを防止する。
【００１７】
内容物の抽出が終わって上記キャップ本体２１を再び抽出口１１にねじ付けると、上記螺旋バンド部２２の螺旋の間隔が狭まり、図１に示す状態となる。
【００１８】
図３は本発明の容器に用いられるキャップの第２例を示すもので、このキャップ２ａが上記第１例のキャップ２と相違する点は、第１例のキャップ２では、スリット２４を部分的に結合する結合部２５が、スリット２４の一部を完全に塞ぐように形成されていて、この結合部２５の位置ではスリット２４が部分的に途切れているのに対し、この第２例のキャップ２ａでは、結合部２５ａが、バンド部２２の内面に沿って該バンド部２２及びスリット２４を横断するように形成されているという点である。即ち、上記バンド部２２の内面には、リブ状をした複数の上記結合部２５ａが、キャップ２ａの軸線方向に向けて該バンド部２２及びスリット２４を横断するように一体に形成され、その両端は、バンド部２２の両側のキャップ本体２１と支持部２３の位置まで達している。従って、この第２例のキャップ２ａにおいては、スリットそのものは全体にわたり連続しており、途中で途切れていない。この第２例のキャップ２ａの上記以外の構成は、実質的に第１例のキャップ２と同じである。
【００１９】
【発明の効果】
このように本発明の安全キャップ付き容器によれば、キャップ本体と支持部とが螺旋状のバンド部によって連結されていて、該キャップ本体を抽出口に被着した状態では、上記バンド部が抽出口の回りを取り巻くように位置して側方に突出しないため、該バンドが携帯時や使用時の邪魔になるようなことがなく、使用性に勝れる。
また、キャップ本体とバンドと支持部とを筒状に一体形成することにより、キャップとバンドとの連結形状が簡単になってそれらを安価に形成することができる。
【図面の簡単な説明】
【図１】本発明に係る安全キャップ付き容器の一実施例を示す、閉栓状態の側面図である。
【図２】図１の開栓状態の斜視図である。
【図３】キャップの第２例を示す断面図である。
【符号の説明】
１　　　容器本体
２，２ａ　　　キャップ
１１　　　抽出口
１２　　　雄ねじ
２１　　　キャップ本体
２２　　　バンド部
２３　　　支持部
２４　　　スリット
２５，２５ａ　　　結合部
２６　　　溝
【図１】
2004051218.tif 000003
【図２】
2004051218.tif 000004
【図３】
2004051218.tif 000005